(57)【要約】  【課題】  硬貨処理装置の上部に落下した液物の、硬貨受入口を除く装置上面からの侵入を阻止することにより、液物による弊害を可及的に阻止するようにした硬貨処理装置を提供することを目的とする。  【解決手段】  筐体２の上面に設けた凹形状の液溜まり部２５と、液溜まり部２５を画成すべく筐体２の硬貨選別部５との合わせ面８の周縁に沿って形成された境界壁２４と、境界壁２４および液溜まり２５の上方へと突出するよう硬貨選別部５の上面に設けたひさし部５１と、液溜まりを画成すべく筐体の周縁に沿って形成された周囲壁２３に形成されかつ液溜まり２５と連通する切り欠２６とを具えるとともに、ひさし部５１の上面を含む硬貨選別部５の上面および液溜まり部２５の底面を、切り欠２６を下流として傾斜するように形成して、硬貨選別部５および筐体２の上面に落下した液物を、ひさし部５１と液溜まり部２５とを介して筐体２の下方へ排出するようにした。  【選択図】  図４
2012118662.tif 000002
【特許請求の範囲】
【請求項１】
装置本体を構成する筐体と、
前記筐体内の最上部に配置されて投入された硬貨の正偽を判別するとともに正貨を金種毎に選別する硬貨選別部とを少なくとも有する硬貨処理装置において、
前記筐体の上面に設けた凹形状の液溜まり部と、
該液溜まり部を画成すべく前記筐体の前記硬貨選別部との合わせ面の周縁に沿って形成された境界壁と、
前記境界壁および前記液溜まりの上方へと突出するよう前記硬貨選別部の上面に設けたひさし部と、
前記液溜まりを画成すべく筐体の周縁に沿って形成された周囲壁に形成されかつ前記液溜まりと連通する切り欠とを具え、
さらに、前記ひさし部の上面を含む前記硬貨選別部の上面および前記液溜まり部の底面は、前記切り欠を下流として傾斜するように形成され、
前記硬貨選別部および前記筐体の上面に落下した液物を、前記ひさし部と前記液溜まり部とを介して前記筐体の下方へ排出することを特徴とする硬貨処理装置。
【発明の詳細な説明】
【技術分野】
【０００１】
本発明は、自動販売機、両替機、サービス機器等の機器内部に配設された硬貨処理装置に関し、特に装置上面に落下した液物の装置内部への侵入を阻止する機能を備えた硬貨処理装置に関する。
【背景技術】
【０００２】
一般に、自動販売機、両替機、サービス機器等の機器内部には、投入硬貨の真偽を判別して正貨を金種別に選別収容するとともに、この選別収容された硬貨を釣銭として払い出す硬貨処理装置が搭載されている。
【０００３】
この硬貨処理装置は、大別すると、投入硬貨の正偽を判別し、正貨を金種別に選別する硬貨選別部と、硬貨選別部の直下に配設されて硬貨選別部において選別された正貨を金種別に蓄積収容する硬貨収容部と、硬貨収容部から釣銭の額に応じて硬貨を払い出す硬貨払出部とから構成されている。
【０００４】
なお、硬貨選別部および硬貨収容部は、それぞれ装置本体を構成する筐体に対し着脱自在に装着されるものである。
【０００５】
このような構成の硬貨処理装置においては、投入された硬貨は最初に硬貨選別部に入り、そこで硬貨の正偽判別と正貨の金種別選別とが行われ、このうち正貨は金種別に硬貨収容部内に選別収容され、さらに釣銭の金額に応じて払い出される金種が特定されると、最下部に配設された硬貨払出部おいて、硬貨収容部内に蓄積収容された硬貨の内、払い出される金種の硬貨が最下層から順に払い出される。
【０００６】
一方、上述した硬貨処理装置の筐体内には、複雑な硬貨通路や各種の電子機器、例えば投入硬貨を各別の硬貨通路へ振り分ける硬貨振り分けレバー、この硬貨振り分けレバーを駆動するソレノイド、硬貨を払い出すペイアウトスライドやこれを駆動するモータあるいはソレノイド等の電子機器が配設されている。
【０００７】
このことから、例えば、硬貨処理装置の上方から装置内部に洗剤液や雨水等の液物が侵入すると、その液物は硬貨処理装置を構成する各部材内に流れ込み、その結果上述した電子機器や各種の駆動機器に付着し、その作動を不良ならしめ、硬貨処理装置の機能低下を招く虞がある。
【０００８】
また、これらの機器に付着した液物が乾燥して、機器の作動をロックさせ、硬貨処理装置そのものの機能が停止する虞もある。
【０００９】
このような事情に鑑み、近年、硬貨処理装置内部に侵入した液物を、迅速に装置本体外部に排出するようにした硬貨処理装置が開発されている（特許３１８５３７５号、特許第３３３９７４５号）。
【先行技術文献】
【特許文献】
【００１０】
【特許文献１】特許第３１８５３７５号
【特許文献２】特許第３３３９７４５号
【発明の概要】
【発明が解決しようとする課題】
【００１１】
ところで、従来の硬貨処理装置（特許第３３３９７４５号）においては、装置本体を構成する筐体の上面と硬貨選別部の上面とは、略同一面となるように配設されている。
【００１２】
このため、硬貨処理装置の上面に落下した液物は、装置本体と硬貨選別部との合わせ面から侵入するので、硬貨選別部の上部に傾斜面を、背面に液物流路をそれぞれ設けて、この合わせ面から侵入した液物を硬貨処理装置内部に誘導し、液物流路を介して装置内部の液溜まり部へ落下させて、装置側面に設けた排出口から外部に排出するようにしている。
【００１３】
しかしながら、従来の硬貨処理装置の液物流路あるいは液溜まり部から液物がオーバーフローする等、侵入した液物がこの液物流路を伝わって排出されない虞があり、硬貨処理装置内部の電気機器や各種の駆動機器を、液物から守るためには、液物の硬貨処理装置内部への侵入を可及的に阻止することが妥当である。
【００１４】
本発明は、硬貨処理装置の上部に落下した液物の、装置本体を構成する筐体と硬貨選別部との合わせ面からの侵入を阻止することにより、液物による弊害を可及的に防止するようにした硬貨処理装置を提供することを目的とする。
【課題を解決するための手段】
【００１５】
上述した課題を解決するため、本発明の硬貨処理装置では、筐体の上面に設けた凹形状の液溜まり部と、該液溜まり部を画成すべく前記筐体の前記硬貨選別部との合わせ面の周縁に沿って形成された境界壁と、前記境界壁および前記液溜まりの上方へと突出するよう前記硬貨選別部の上面に設けたひさし部と、前記液溜まりを画成すべく筐体の周縁に沿って形成された周囲壁に形成されかつ前記液溜まりと連通する切り欠とを具えるとともに、前記ひさし部の上面を含む前記硬貨選別部の上面および前記液溜まりの底面を、前記切り欠を下流として傾斜するように形成して、前記硬貨選別部および前記筐体の上面に落下した液物を、前記ひさし部と前記液溜まり部とを介して前記筐体の下方へ排出するようにしている。
【発明の効果】
【００１６】
本発明の硬貨処理装置では、硬貨選別部上面の筐体側の端部に、筐体の硬貨選別部との境界壁および筐体上面に形成した凹形状の液溜まり部の上方とへ突出するようにしたひさし部を形成し、筐体と硬貨選別部との合わせ面の上方をひさし部によって覆うことによって、液物が筐体と硬貨選別部との合わせ面から侵入するのを防ぐことができるので、硬貨処理装置の上部に落下した液物の、装置本体を構成する筐体と硬貨選別部との合わせ面からの侵入を阻止し、液物による弊害を可及的に阻止するようにした硬貨処理装置を提供することができる。  
【図面の簡単な説明】
【００１７】
【図１】本発明に係る硬貨処理装置の概念斜視図。
【図２】硬貨選別部を装着した状態における硬貨処理装置上部の拡大斜視図。
【図３】硬貨選別部を若干前方に倒した状態における硬貨処理装置上部の拡大斜視図。
【図４】硬貨処理装置上部における図１のＡ−Ａ切断部端面図。
【発明を実施するための形態】
【００１８】
以下、本発明に係る硬貨処理装置の一実施例を示して詳述する。
【００１９】
図１に示す硬貨処理装置１は、従来と同様に、装置本体を構成する筐体２と、筐体２の最下部に搭載される硬貨払出部３と、硬貨払出部３の直上に配設される硬貨収容部４と、硬貨収容部４の直上に配設される硬貨選別部５とから構成されるものであり、硬貨収容部４および硬貨選別部５は、それぞれ筐体２に対し着脱自在に装着されるものである。
【００２０】
上記硬貨選別部５の上面には、硬貨受入口６が形成され、硬貨受入口６から投入された硬貨を、硬貨選別部５において硬貨の正偽判別と正貨の金種別選別とを行い、このうち正貨は金種別に硬貨収容部４内に選別収容し、さらに釣銭の金額に応じて払い出される金種が特定されると、硬貨払出部３おいて硬貨収容部４内に蓄積収容された硬貨の内、払い出される金種の硬貨を最下層から順に払い出すようにしている。
【００２１】
また、筐体２の上面には、ケーブル７を嵌挿させるための孔が形成されており、このケーブル７を介して、硬貨処理装置１外部からの各種の信号や電力を筐体２内に供給している。
【００２２】
そして、筐体２および硬貨選別部５の内部には、図示せぬ複雑な硬貨通路や各種の電子機器、例えば投入硬貨を各別の硬貨通路へ振り分ける硬貨振り分けレバー、この硬貨振り分けレバーを駆動するソレノイド、硬貨を払い出すペイアウトスライドやこれを駆動するモータあるいはソレノイド等の電子機器が配設されている。
【００２３】
このような硬貨処理装置１には、硬貨処理装置１の上面に落下した液物を迅速にその外部へ排出するため、少なくとも一つの液物排出手段が形成されている。
【００２４】
特に、本発明の硬貨処理装置１においては、筐体２と硬貨選別部５との合わせ面８（図４参照）からの液物の侵入を防ぐ液物排出手段を具えており、従来の、硬貨処理装置１の内部であって硬貨選別部５の背面へ液物を案内してから再び外部へ排出するものとは、その方法が大きく異なっている。
【００２５】
上記本発明に係る液物排出手段について、図２乃至図４を示して詳細に説明する。
なお、図２における破線矢印は、液物が案内される方向を示している。
【００２６】
装置本体である筐体２の上面には、筐体の側面２１および背面２２との周縁に沿って周囲壁２３が形成されており、また、硬貨選別部５との合わせ面８の周縁に沿って境界壁２４が形成され、周囲壁２３および境界壁２４によって画成される凹形状の液溜まり部２５が設けられている。
【００２７】
周囲壁２３の筐体２の背面２２側中央部には切り欠２６が液溜まり部２５と連通するように形成されており、液溜まり部２５の底面は、切り欠２６を下流として傾斜するように形成される。
【００２８】
したがって、筐体２の上面に落下した液物は、液溜まり部２５により筐体２の背面２２側に案内され、さらに切り欠２６を介して背面２２の下方へ落下する。
【００２９】
一方、硬貨選別部５の上面には、図２および図４に示す硬貨選別部５の装着状態において、筐体２の境界壁２４に対向するひさし部５１が、硬貨選別部５の全幅に渡って設けられ、このひさし部５１は、筐体２の境界壁２４の上方と液溜まり部２５の上方とへ突出するように形成される。
【００３０】
また、硬貨選別部５上面におけるひさし部５１を含む領域には、傾斜面５２が形成されており、傾斜面５２に落下した液物を、筐体２の背面２２方向へ案内するようにしている。
【００３１】
したがって、硬貨選別部５の上面に落下した液物は、筐体２の背面２２方向に案内され、ひさし部５１を通って筐体２の液溜まり２５内へと落下する。
【００３２】
この時、筐体２と硬貨選別部５との合わせ面８は、その上方がひさし部５１に覆われているので、液物が筐体２と硬貨選別部５との合わせ面８から侵入するのを防ぐことができる。
【００３３】
そして、筐体２の上面に落下した液物と同様に、筐体２の背面２２側へ案内され、さらに切り欠２６を介して背面２２の下方へ落下する。
【００３４】
さらに、装置本体である筐体２の背面２２には、上流端が切り欠２６に臨み、下流端が筐体２の下端となるように形成される液物案内流路２７が設けられている。
【００３５】
筐体２の切り欠２６を介して背面２２へ落下してきた液物は、液物案内流路２７を通って下方に案内され、硬貨処理装置１の下方へと排出される。
【００３６】
なお、液物案内流路２７は、液物案内流路２７の液物を案内する方向に平行になるよう形成された図示せぬ複数本の溝からなるようにしてもよい。
【００３７】
このように、本発明の硬貨処理装置では、硬貨選別部上面の筐体側の端部に、筐体の硬貨選別部との境界壁および筐体上面に形成した凹形状の液溜まり部の上方とへ突出するようにしたひさし部を形成し、筐体と硬貨選別部との合わせ面の上方をひさし部によって覆うことによって、液物が筐体と硬貨選別部との合わせ面から侵入するのを防ぐようにしている。
【００３８】
これによって、本発明は、硬貨処理装置の上部に落下した液物の、装置本体を構成する筐体と硬貨選別部との合わせ面からの侵入を阻止することにより、液物による弊害を可及的に防止するようにした硬貨処理装置を提供できる。
【符号の説明】
【００３９】
１    硬貨処理装置
２    筐体（硬貨処理装置本体）
２１  筐体の側面
２２  筐体の背面
２３  周囲壁
２４  境界壁
２５  液溜まり部
２６  切り欠
２７  液物案内流路
３    硬貨払出部
４    硬貨収容部
５    硬貨選別部
５１  ひさし部
５２  傾斜面
６    硬貨投入口
７    ケーブル
８    合わせ面
【図１】
2012118662.tif 000003
【図２】
2012118662.tif 000004
【図３】
2012118662.tif 000005
【図４】
2012118662.tif 000006